(57)【要約】【課題】長尺状の挿入体と生体組織との間の挿入部に生じる隙間を一層確実に塞ぐことを可能とする液剤塗布具を提供する。【解決手段】液剤塗布具１０は、カテーテル等の挿入管１６の生体組織１８への挿入部２０を被覆するための液剤Ｌが充填される貯液部２２ｂを有するシリンジ１２と、該シリンジ１２先端の流出口２２ａに接続されるノズル１４とを備える。ノズル１４は、挿入管１６の外周面の少なくとも一部を囲繞可能なアーム部３２を有すると共に、貯液部２２ｂに充填される液剤Ｌを挿入管１６の外周面に向けて吐出する吐出孔３６を前記アーム部３２に設けたノズル１４とを備え、前記アーム部３２には、該アーム部３２の内側及び外側へと挿入管１６を通過させるための開口部３８に設けられ、該開口部３８での挿入管１６の通過を阻害するロック構造４０が備えられる。【選択図】図３
2012065982.tif 000002
【特許請求の範囲】
【請求項１】
生体組織に挿入する長尺状の挿入体の外周面の少なくとも一部を囲繞可能なアーム部と、
前記アーム部に設けられ、前記挿入体の前記生体組織への挿入部を被覆するための液剤を前記挿入体の外周面に向けて吐出する吐出孔と、
前記アーム部の内側及び外側へと前記挿入体を通過させるために該アーム部に形成された開口部での前記挿入体の通過を阻害するロック構造と、
を備えることを特徴とする液剤塗布具。
【請求項２】
請求項１記載の液剤塗布具において、
前記液剤が充填される貯液部と、
前記アーム部を有し、該アーム部に前記貯液部からの前記液剤を流通可能なノズルと、
を備えることを特徴とする液剤塗布具。
【請求項３】
請求項１又は２記載の液剤塗布具において、
前記ロック構造は、前記挿入体の外径よりも小さな幅を持つ前記開口部を有することを特徴とする液剤塗布具。
【請求項４】
請求項３記載の液剤塗布具において、
前記アーム部は、前記開口部を拡幅変形可能な可撓性を有することを特徴とする液剤塗布具。
【請求項５】
請求項４記載の液剤塗布具において、
前記アーム部の前記開口部を構成する一対の端部には、両端部間を連結する係合部が設けられ、該係合部の係合状態は前記アーム部の半径方向に解除不能であることを特徴とする液剤塗布具。
【請求項６】
請求項４記載の液剤塗布具において、
前記アーム部は、前記開口部を構成する前記アーム部の一対の端部の近傍に、重なり合い且つ互いに対向する対向部を有することを特徴とする液剤塗布具。
【請求項７】
請求項１又は２記載の液剤塗布具において、
前記ロック構造は、前記挿入体の外径以上の幅を持つ前記開口部と、該開口部に設けられた可撓性の弁部材とを有することを特徴とする液剤塗布具。
【請求項８】
請求項１又は２記載の液剤塗布具において、
前記アーム部は、前記開口部を構成する一対の端部が互いに対向配置され、
前記ロック構造は、前記一対の端部間に形成される通路を有することを特徴とする液剤塗布具。
【請求項９】
請求項１又は２記載の液剤塗布具において、
前記アーム部は、前記開口部を構成する一対の端部の近傍に、重なり合い且つ互いに対向する対向部を有し、
前記ロック構造は、前記対向部間に形成される通路を有することを特徴とする液剤塗布具。
【請求項１０】
請求項１又は２記載の液剤塗布具において、
前記ロック構造は、前記アーム部の前記開口部を構成する一対の端部を、前記挿入体の外径以上の間隔を介して平面視で重なる方向に交差させた通路を有することを特徴とする液剤塗布具。
【請求項１１】
請求項８〜１０のいずれか１項に記載の液剤塗布具において、
前記通路は、前記貯液部から前記ノズルへの前記液剤の流入方向に対して交差する方向に形成されていることを特徴とする液剤塗布具。
【発明の詳細な説明】
【技術分野】
【０００１】
本発明は、カテーテル等の長尺状の挿入体と生体組織との間の挿入部を被覆する液剤を塗布するための液剤塗布具に関する。
【背景技術】
【０００２】
医療用の長尺状の挿入体、例えば、血管カテーテル、導尿カテーテル及び硬膜外カテーテル等の各種カテーテル、又は、留置ドレーン、又は、腹膜透析チューブ、又は、ヒューバー針の挿入部、又は、生体埋込型医療機器のケーブル、又は、気管切開カニューレ等（以下、挿入管という）を体内に挿入し留置する際には、当該挿入管の生体組織（例えば、体表面）への挿入部に隙間を生じることがあり、この隙間に菌（例えば、皮膚に常在する菌）や汚れが侵入し、感染症や炎症を生じる可能性がある。
【０００３】
そこで、一般的には、上記の感染症や炎症を予防するために、挿入部周辺をドレッシング剤で被覆する処置や、抗菌剤を含浸させたパッチを挿入部周辺に貼り付ける処置等が行われている（例えば、特許文献１、２参照）。
【先行技術文献】
【特許文献】
【０００４】
【特許文献１】特開平９−９４２９９号公報
【特許文献２】特許第３０４６６２３号公報
【発明の概要】
【発明が解決しようとする課題】
【０００５】
上記のようなドレッシング剤やパッチを挿入部及びその周辺に貼り付ける処置を行うことにより、感染症や炎症の予防に対して一定の効果を得ることができる。しかしながら、このようなドレッシング剤やパッチを貼り付ける方法は、挿入管と生体組織との挿入部周辺を上方からカバーするだけの処置であるため、挿入部に生じる隙間を完全に塞ぐことは難しい。
【０００６】
本発明はこのような従来の課題を考慮してなされたものであり、長尺状の挿入体と生体組織との間の挿入部に生じる隙間を一層確実に塞ぐことを可能とする液剤塗布具を提供することを目的とする。
【課題を解決するための手段】
【０００７】
本発明に係る液剤塗布具は、生体組織に挿入する長尺状の挿入体の外周面の少なくとも一部を囲繞可能なアーム部と、前記アーム部に設けられ、前記挿入体の前記生体組織への挿入部を被覆するための液剤を前記挿入体の外周面に向けて吐出する吐出孔と、前記アーム部の内側及び外側へと前記挿入体を通過させるために該アーム部に形成された開口部での前記挿入体の通過を阻害するロック構造とを備えることを特徴とする。
【０００８】
このような構成によれば、前記液剤をアーム部に設けた吐出孔から、該アーム部で囲繞した挿入体の外周面に向けて吐出することにより、挿入部及びその周辺に液剤を塗布し、該挿入部に生じる隙間を確実に被覆し塞ぐことができる。さらに、アーム部に、開口部での挿入体の通過を阻害するロック構造を備えることにより、アーム部により囲繞される領域内に配置した挿入体の開口部からの確実な抜け止めが可能となり、より確実に且つ安定して液剤の塗布を行うことが可能となる。
【０００９】
また、前記液剤が充填される貯液部と、前記アーム部を有し、該アーム部に前記貯液部からの前記液剤を流通可能なノズルとを備え、貯液部内に充填された液剤をノズルの吐出孔から吐出する構成としてもよい。
【００１０】
前記ロック構造は、前記挿入体の外径よりも小さな幅を持つ前記開口部を有することで、アーム部により囲繞される領域内に配置された挿入体の開口部からの抜け止めを図ってもよい。
【００１１】
この場合、前記アーム部は、前記開口部を拡幅変形可能な可撓性を有すると、開口部でのアーム部の内側及び外側への挿入体の通過を容易に行うことが可能となる。
【００１２】
前記アーム部の前記開口部を構成する一対の端部には、両端部間を連結する係合部が設けられ、該係合部の係合状態は前記アーム部の半径方向に解除不能であると、アーム部の内面を挿入体が押圧した場合にも前記係合部の係合状態が解除されることがなく、アーム部により囲繞される領域内に配置した挿入体の開口部からの一層確実な抜け止めが可能となる。
【００１３】
前記アーム部は、前記開口部を構成する前記アーム部の一対の端部の近傍に、重なり合い且つ互いに対向する対向部を有すると、該対向部によって開口部がロックされるため、アーム部により囲繞される領域内に配置した挿入体の抜け止めを図ることができる。
【００１４】
前記ロック構造は、前記挿入体の外径以上の幅を持つ前記開口部と、該開口部に設けられた可撓性の弁部材とを有してもよい。そうすると、該弁部材によってアーム部により囲繞される領域内に配置された挿入体の開口部からの抜け止めを図ることができる。
【００１５】
前記アーム部は、前記開口部を構成する一対の端部が互いに対向配置され、前記ロック構造は、前記一対の端部間に形成される通路を有してもよい。また、前記アーム部は、前記開口部を構成する一対の端部の近傍に、重なり合い且つ互いに対向する対向部を有し、前記ロック構造は、前記対向部間に形成される通路を有してもよい。さらに、前記ロック構造は、前記アーム部の前記開口部を構成する一対の端部を、前記挿入体の外径以上の間隔を介して平面視で重なる方向に交差させた通路を有してもよい。そうすると、前記通路に挿入体を通過させる際には、当該液剤塗布具を該通路に沿って動かす必要が生じるため、アーム部により囲繞される領域内に配置した挿入体の開口部からの抜け止めが可能となる。
【００１６】
この場合、前記通路は、前記貯液部から前記ノズルへの前記液剤の流入方向に対して交差する方向に形成されているとよい。そうすると、該通路に挿入体を通過させる際の当該液剤塗布具の動作方向が複雑になるため、アーム部により囲繞される領域内に配置した挿入体の開口部からの一層確実な抜け止めが可能となる。
【発明の効果】
【００１７】
本発明によれば、挿入体の生体組織への挿入部を被覆するための液剤をアーム部に設けた吐出孔から、該アーム部で囲繞した挿入体の外周面に向けて吐出することにより、挿入体の生体組織への挿入部及びその周辺に液剤を円滑に塗布することができ、該挿入部に生じる隙間を確実に被覆し塞ぐことができる。しかも、前記アーム部に、開口部での挿入体の通過を阻害するロック構造を備えることにより、アーム部により囲繞される領域内に配置した挿入体の開口部からの確実な抜け止めが可能となり、より確実に且つ安定して液剤の塗布を行うことが可能となる。
【図面の簡単な説明】
【００１８】
【図１】本発明の一実施形態に係る液剤塗布具の一部分解斜視図である。
【図２】図１に示す液剤塗布具の先端側を拡大した部分断面図である。
【図３】図３Ａは、図１に示す液剤塗布具の先端側を拡大した一部省略平面図であり、図３Ｂは、図１に示す液剤塗布具におけるノズルのアーム部へと挿入管を挿入する動作を示す一部省略平面図である。
【図４】図１に示す液剤塗布具におけるノズルのアーム部へと挿入管を挿入する動作の別の例を示す一部省略平面図である。
【図５】図５Ａは、図１に示す塗布具によって挿入管の生体組織への挿入部に対して液剤の塗布を行う様子を示す説明図であり、図５Ｂは、図５Ａに示す塗布具の平面図であり、図５Ｃは、図５Ａに示す状態から液剤の塗布を行い、挿入部周辺を液剤によって被覆した状態を示す説明図である。
【図６】図６Ａは、シリンジとノズルの接続部にロック構造を設けた構成例の側面断面図であり、図６Ｂは、図６Ａに示すロック構造をロック状態とした側面断面図である。
【図７】図７Ａは、第１変形例に係るノズルの一部省略平面図であり、図７Ｂは、図７Ａに示すノズルのアーム部により囲繞される領域内へと挿入管を挿入する動作を示す一部省略平面図である。
【図８】第２変形例に係るノズルの一部省略平面図である。
【図９】図９Ａは、第３変形例に係るノズルの一部省略平面図であり、図９Ｂは、図９Ａに示すノズルのアーム部により囲繞される領域内へと挿入管を挿入する動作を示す一部省略平面図である。
【図１０】第４変形例に係るノズルの一部省略平面図である。
【図１１】図１１Ａは、第５変形例に係るノズルの一部省略平面図であり、図１１Ｂは、図１１Ａに示すノズルのアーム部により囲繞される領域内へと挿入管を挿入する動作を示す一部省略平面図である。
【図１２】図１２Ａは、第６変形例に係るノズルの一部省略平面図であり、図１２Ｂは、図１２Ａに示すノズルのアーム部により囲繞される領域内へと挿入管を挿入する動作を示す一部省略平面図である。
【図１３】第７変形例に係るノズルの一部省略平面図である。
【図１４】第８変形例に係るノズルの一部省略平面図である。
【図１５】第９変形例に係るノズルの一部省略斜視図である。
【図１６】図１６Ａは、図１５に示すノズルの一部省略平面図であり、図１６Ｂは、図１６Ａに示すノズルの一部省略正面図である。
【図１７】図１に示す液剤塗布具の別の構成例に係る液剤塗布具の斜視図である。
【図１８】図１８Ａは、図１に示す液剤塗布具のさらに別の構成例に係る液剤塗布具の平面図であり、図１８Ｂは、図１８Ａに示す液剤塗布具の側面図である。
【発明を実施するための形態】
【００１９】
以下、本発明に係る液剤塗布具について好適な実施の形態を挙げ、添付の図面を参照しながら説明する。
【００２０】
図１は、本発明の一実施形態に係る液剤塗布具１０の一部分解斜視図であり、図２は、図１に示す液剤塗布具１０の先端側を拡大した部分断面図である。
【００２１】
本実施形態に係る液剤塗布具１０（以下、単に「塗布具１０」ともいう）は、液剤Ｌが充填されたシリンジ１２と、シリンジ１２の先端に接続されるノズル１４とを有し、液剤Ｌをノズル１４から目的部位へと塗布（投与、吐出、注入）するための器具である。液剤Ｌは、カテーテル、ドレーン又はケーブル等からなる長尺状の挿入体である挿入管１６の生体組織１８（例えば、体表面）への挿入部２０を被覆するための薬剤等であり（図５Ａ〜図５Ｃ参照）、すなわち、塗布具１０は、先端のノズル１４から前記挿入部２０及びその周辺に、液剤Ｌを塗布するための医療用器具である。挿入管１６の生体組織１８への挿入部２０とは、体表面以外、例えば、体内にあるものであってもよい。
【００２２】
液剤Ｌとしては、例えば、シアノアクリレートを含有するシーラント（封止材、接着剤）や、例えば、クロルヘキシジン等の抗菌剤を含有し、且つ十分な粘度を有した液剤を用いるとよい。該液剤は、吐出後に硬化するものがよく、生体組織と適度な接着性を有するものが望ましい。具体的な材料の一例としては、ポリエチレングリコールを主としたゲルや多糖ゲルがあり、２液を混合させるなどして硬化させる方法でもよい。
【００２３】
以下、図１及び図２における左側（シリンジ１２側）を「基端（後端）」側、右側（ノズル１４側）を「先端」側と呼んで説明する。
【００２４】
図１及び図２に示すように、シリンジ１２は、先細りテーパ形状で突出する流出口２２ａを先端に設けた外筒（シリンダ）２２と、外筒２２内で液密に摺動し、内部に液剤Ｌが充填される貯液部２２ｂを画成するガスケット２４が先端に装着され、前後方向（軸方向）に移動可能な押し子（プランジャロッド）２６とを備える。
【００２５】
ノズル１４は、シリンジ１２の流出口２２ａにテーパ嵌合する注入口２８を基端面に有した略円筒状のベース部３０と、ベース部３０の先端から平面視（図２参照）で挿入管１６を囲繞するために一部に開放部分があり、例えばＣリング状、Ｖ字状、Ｕ字状（図２ではＣリング状の構成を例示）に形成されるアーム部（リング部）３２とを有する。ベース部３０の内部には、注入口２８から連通して軸方向に延びたノズル流路３４が形成され、該ノズル流路３４は、アーム部３２の内部にも延在している（図２参照）。さらに、略円形状に形成されたアーム部３２の内面（内周面）３２ａには、ノズル流路３４から分岐した複数（本実施形態では、９個）の吐出孔３６が開口形成されている。
【００２６】
図２に示すように、ノズル１４における各吐出孔３６は、全てアーム部３２を構成する円の中心を指向する吐出方向に形成され、アーム部３２の周方向に沿って等間隔に設けられているが、吐出孔３６の吐出方向や配置間隔等は適宜変更可能であることは勿論である。
【００２７】
図１及び図２に示すように、アーム部３２には、ベース部３０の軸方向先端側に、挿入管１６を該アーム部３２の内側及び外側へと通過させるための開口部（切欠部、スリット）３８が設けられている。開口部３８は、先端方向に向かって幅（内面間距離）が拡がる傾斜形状からなる。
【００２８】
図３Ａに示すように、開口部３８の幅Ｗ（開口部３８のうち、少なくとも最小の幅Ｗ）は、塗布対象となる挿入管１６の外径Ｄよりも小さく設定されており（Ｗ＜Ｄ）、そのままでは挿入管１６を開口部３８を通過させてアーム部３２の内側に挿入することはできない。
【００２９】
そこで、当該ノズル１４では、アーム部３２の全体又は開口部３８近傍の部位を可撓性を持った材質で形成している。この可撓性を持つ材質としては、例えば、スチレン−ブタジエンゴム、ブチルゴム、イソプレンゴム、シリコーンゴム、ポリエステル等の各種エラストマー等を挙げることができる。
【００３０】
従って、図３Ｂに示すように、挿入管１６に開口部３８を押し付けることで、該開口部３８が拡張変形し、挿入管１６を開口部３８を通過させてアーム部３２により囲繞される領域内に挿入・配置することができる（図２参照）。また、アーム部３２により囲繞される領域内に挿入管１６が挿入されると、開口部３８が直ぐに元の幅Ｗに復帰していることから、再びアーム部３２を拡張させなければ開口部３８を通過して外側に抜くことができず、つまり、Ｗ＜Ｄの関係に規定された開口部３８が、該開口部３８での挿入管１６の挿脱を阻害するロック構造４０を構成している。
【００３１】
この場合、開口部３８の幅Ｗはゼロ、つまり開口部３８が完全に閉じた状態となるように設定してもよいが、開口部３８を完全に閉じた構成とした場合には、該開口部３８の外周側部分に多少の隙間を設けておくと、該隙間から挿入管１６の外周面を押し込み易くなり、アーム部３２を容易に拡張させることが可能となる。
【００３２】
なお、アーム部３２を可撓性を持たない材質又は可撓性を有するが比較的硬度の高い材質で形成した場合であっても、挿入管１６が可撓性を有する柔軟な材質で形成されている場合には、図４に示すように、挿入管１６を多少変形させながら開口部３８を通過させることができる。つまり、ロック構造４０では、必ずしもアーム部３２に可撓性を備える必要はなく、アーム部３２又は挿入管１６の少なくとも一方に可撓性が備えられていればよい。
【００３３】
ノズル１４の材質は、特に限定されないが、例えば、ポリプロピレン、ポリエチレン、ポリ塩化ビニル、環状ポリオレフィン、ポリスチレン、ポリカーボネイト、アクリル樹脂、ポリアミド等の樹脂を用いるとよく、シリンジ１２の外筒２２及び押し子２６についても同様である。なお、ノズル１４のうち、ロック構造４０を構成するアーム部３２については、上記のように、可撓性を持った材質で形成されることが望ましい。ガスケット２４には、スチレン−ブタジエンゴム、ブチルゴム、イソプレンゴム、シリコーンゴム、ポリエステルエラストマー等の各種エラストマーを用いるとよい。
【００３４】
また、ノズル１４は、例えば、ベース部３０の基端からアーム部３２の先端までの長さが１０ｍｍ〜５０ｍｍ程度、好ましくは２０ｍｍ〜３０ｍｍ程度であり、アーム部３２の内面３２ａの内径、つまり、アーム部３２により囲繞される領域の外径は、挿入管１６の外径にもよるが、例えば、５ｍｍ〜３０ｍｍ程度、好ましくは１０ｍｍ〜２０ｍｍ程度であり、開口部３８の幅（間隔）は、３ｍｍ〜３０ｍｍ程度、好ましくは３ｍｍ〜２０ｍｍ程度であり、吐出孔３６は、口径が０．５ｍｍ〜３ｍｍ程度、好ましくは１ｍｍ〜２ｍｍ程度であるとよい。これらの各寸法や材質は、当該塗布具１０の用途や仕様、液剤Ｌの種類等によって適宜最適に設定可能であることは勿論である。
【００３５】
次に、以上のように構成される塗布具１０を用いた液剤塗布方法の一例について、図５Ａ〜図５Ｃを参照して説明する。図５Ａは、図１に示す塗布具１０によって挿入管１６の生体組織１８への挿入部２０に対して液剤Ｌの塗布を行う様子を示す説明図であり、図５Ｂは、図５Ａに示す塗布具１０の平面図であり、図５Ｃは、図５Ａに示す状態から液剤Ｌの塗布を行い、挿入部２０周辺を液剤Ｌによって被覆した状態を示す説明図である。
【００３６】
長尺状の挿入体である挿入管１６としては、例えば、血管カテーテル、導尿カテーテル及び硬膜外カテーテル等の各種カテーテル、又は、留置ドレーン、又は、腹膜透析チューブ、又は、ヒューバー針の挿入部、又は、生体埋込型医療機器のケーブル、又は、切開カニューレ等を挙げることができる。このような挿入管１６が生体組織１８（例えば、体表面）に挿入された状態では、図５Ａに示すように、挿入部２０において挿入管１６と生体組織１８との間に、該挿入管１６の外周面に沿った隙間Ｇが生じることになる。なお、図５Ａ〜図５Ｃでは、理解の容易のため、隙間Ｇをやや誇張して図示しているが、実際の隙間Ｇは、図５Ａ〜図５Ｃに図示したものよりも幅の狭い、より微小な間隔である。
【００３７】
このように挿入部２０に生じる隙間Ｇには、生体組織１８の表面（皮膚表面等）に常在する菌や汚れが侵入する可能性があり、感染症や炎症を防止するためには、この隙間Ｇをより確実に塞ぐことが好ましい。ところが、上記した従来のドレッシング剤は、フィルムを挿入部周辺に貼り付けるだけの構成であるため、挿入部で生じる前記隙間Ｇを完全に塞ぐことは難しい。しかも、貼り付けたフィルムにしわ等が生じることがあり、そうすると、しわ等によって生じた隙間（空間）を通して菌が移動し、前記隙間Ｇへと侵入する可能性もある。
【００３８】
そこで、本実施形態では、上記の隙間Ｇを確実に閉塞し、しわ等に起因する前記隙間の発生を防止するため、液剤Ｌとして、シアノアクリレートを含有するシーラントや、クロルヘキシジン等の抗菌剤を含有し、且つ十分な粘度を有した液剤を用い、これらを単独で又は混合したものを液剤Ｌとして、シリンジ１２の貯液部２２ｂ内に予め充填しておくか、又は手技の直前に充填しておく。
【００３９】
次に、シリンジ１２の流出口２２ａのキャップ３９（図１参照）を取り外して該流出口２２ａを開通してからノズル１４を装着し（図２参照）、プライミングを行った後、図５Ａ及び図５Ｂに示すように、開口部３８を通してアーム部３２の内側に挿入管１６を挿入し、該アーム部３２の内面３２ａで挿入管１６を囲繞するように配置する。すなわち、アーム部３２のリング内側に挿入管１６を挿通させた状態とする。
【００４０】
この場合、ノズル１４では、開口部３８の幅Ｗを挿入管１６の外径Ｄよりも小さく設定したロック構造４０を備えることから、アーム部３２の内側に挿入管１６を配置する際には、開口部３８に挿入管１６を押し付けることにより、可撓性を持ったアーム部３２の開口部３８が押し広げられ、挿入管１６を開口部３８を通過させてアーム部３２により囲繞される領域内に配置することができる。
【００４１】
なお、キャップ３９に代えて、例えば、流出口２２ａの出口に図示しない樹脂製の膜を設けておき、使用開始時に、該膜を図示しない穿刺針等によって開通するか、又はノズル１４のノズル流路３４内に設けた流路が形成された穿刺針によって開通するように構成してもよい。
【００４２】
ノズル１４の挿入管１６への設置位置は、挿入管１６や塗布具１０の種類や寸法、挿入部２０での隙間Ｇの大きさ等にもよるが、例えば、生体組織１８の表面から５ｍｍ〜２０ｍｍ、好ましくは１０ｍｍ程度の高さ位置（図５Ａ中のｈ＝１０ｍｍ）に設定するとよい。この場合、アーム部３２の内面３２ａの内径は、対象となる挿入管１６の外径よりも多少大きく、例えば、１．３倍〜２倍程度に設定することが好ましい。
【００４３】
続いて、シリンジ１２の押し子２６を押し込むことにより、図５Ｂ及び図５Ｃに示すように、液剤Ｌがノズル１４の各吐出孔３６から一挙に挿入管１６に向けて吐出され、該吐出された液剤Ｌは、挿入管１６の外周面を伝いながら下降して挿入部２０に到達する。これにより、液剤Ｌが挿入部２０及びその周辺に適切に塗布され、隙間Ｇが確実に被覆され塞がれる。また、当該塗布具１０の液剤Ｌは、例えば、上記のドレッシング剤と併用することもでき、そうするとドレッシング剤に生じるしわがあった場合でも菌が隙間Ｇから体内に侵入することが確実に防止される。
【００４４】
例えば、液剤Ｌとして、シアノアクリレートを含有するシーラントを用いると、挿入部２０及びその周辺部で該シーラントが固化するため、隙間Ｇを確実に塞ぐことができ、しかも挿入管１６を挿入部２０に対して固定することもできる。一方、液剤Ｌとして、例えば、クロルヘキシジン等の抗菌剤を含有し、且つ十分な粘度を有した液剤を用いると、挿入部２０及びその周辺部に該液剤Ｌが保持され、隙間Ｇを確実に塞ぐことができる。なお、該液剤を用いる場合には、上記のシーラントのように挿入部２０周辺で固化することはないが、一般に、挿入管１６と生体組織１８との間に生じる隙間Ｇの幅は極めて狭いことから、所定の粘度からなる液剤Ｌであれば、固化しなくてもその表面張力によって確実に隙間Ｇを塞ぐことは可能である。
【００４５】
以上のように、本実施形態に係る塗布具１０では、シリンジ１２の貯液部２２ｂ内に充填された液剤Ｌをアーム部３２の内面３２ａに開口する吐出孔３６から挿入管１６の外周面に向けて吐出し、挿入部２０及びその周辺に液剤Ｌを塗布することにより、隙間Ｇを確実に被覆し、塞ぐことができる。従って、カテーテル等の挿入管１６と生体組織１８との間の挿入部２０に形成される隙間Ｇに菌や汚れが侵入することを確実に防ぐことができ、該挿入部２０での感染症や炎症の発生を予防することができる。
【００４６】
ノズル１４は、挿入管１６を囲繞可能なアーム部３２を有し、このアーム部３２の内面３２ａに液剤Ｌの吐出孔３６が形成されている。従って、液剤Ｌの塗布時、アーム部３２の内側で挿入管１６を保持しつつ、吐出孔３６から液剤Ｌを確実に挿入管１６の外周面に一挙に吐出することができ、高い操作性と確実な塗布とが可能となる。つまり、各吐出孔３６がアーム部３２の内面３２ａに形成されていることにより、該アーム部３２の内側（内部）に挿入管１６を保持（配置）しておくだけで、液剤Ｌを挿入管１６の外周面に略均等に確実に吐出することができる。なお、吐出孔３６は、上記のように複数設けず、例えば、ある程度の大きさを持つ１つの吐出孔３６のみであってもよいが、挿入管１６の外周面に対してより均等に液剤Ｌを塗布するためには、アーム部３２の周方向に略等間隔で均等配置された３つ以上の吐出孔３６を設けることが好ましい。
【００４７】
この際、ノズル１４では、アーム部３２の内側及び外側へと挿入管１６を通過させる開口部３８の幅Ｗを挿入管１６の外径Ｄより小さく構成することにより、開口部３８での挿入管１６の通過を阻害するロック構造４０を構築している。これにより、挿入管１６をアーム部３２の内側へと挿入する際には、アーム部３２を押し広げる必要があるものの、アーム部３２により囲繞される領域内に挿入管１６を配置した後は、開口部３８が元の幅Ｗに直ぐに復帰し、開口部３８がロックされた状態となる。従って、液剤Ｌの塗布時、アーム部３２の内側に設置された挿入管１６が開口部３８から誤って抜け出すことを確実に防止することができ、より確実に且つ安定して液剤Ｌの塗布を行うことができる。
【００４８】
図２、図３Ａ及び図３Ｂに示すように、開口部３８は、当該塗布具１０の先端方向、つまり軸線上で開口している。このため、使用者は、当該塗布具１０を挿入管１６にセットする際、例えば、片手でシリンジ１２部分を把持したまま、開口部３８へと容易に挿入管１６を通過させることができ、高い操作性を得ることができる。
【００４９】
しかも、ノズル１４では、開口部３８を、アーム部３２の内面３２ａ側から外面側に向けて幅が拡がる傾斜面で形成している。このため、開口部３８からアーム部３２により囲繞される領域内への挿入管１６の挿入を一層容易に行うことが可能になり、上記のロック構造４０を持つ当該ノズル１４ではその効果が一層顕著となる。さらに、開口部３８を前記傾斜面で形成することにより、アーム部３２により囲繞される領域内に配置された挿入管１６の開口部３８からの抜け止め機能、つまりロック構造４０によるロック性能を向上させることができる。
【００５０】
ところで、当該塗布具１０では、例えば、十分な粘度を持った液剤Ｌを塗布するため、シリンジ１２から吐出される液剤Ｌは所定の高い圧力（抵抗）を発生することになる。そこで、ノズル１４とシリンジ１２との接続部について、図２に示される通常のテーパ嵌合構造（ルアーテーパ嵌合構造）以外にも、例えば、図６Ａ及び図６Ｂに示されるルアーロック２１を備えたルアーロック構造とすることも有効である。
【００５１】
図６Ａ及び図６Ｂに示すように、ルアーロック２１は、シリンジ１２の流出口２２ａの外周側に隙間２３を有して配置された筒部２５の内周面に形成された雌ねじ２７と、ベース部３０の基端側外周面に形成された雄ねじ２９とから構成されている。シリンジ１２側の雌ねじ２７に対し、ノズル１４側の雄ねじ２９が螺合されることにより、シリンジ１２とノズル１４とをより確実に嵌合・締結することができる。
【００５２】
次に、上記のように構成される塗布具１０におけるノズル１４の変形例について順に説明する。
【００５３】
図７Ａは、ノズル１４の第１変形例に係るノズル１４ａの平面図であり、図７Ｂは、図７Ａに示すノズル１４ａのアーム部４２ａにより囲繞される領域内へと挿入管１６を挿入する動作を示す平面図である。なお、図７Ａ及び図７Ｂでは、理解の容易のため、軸方向に直交する断面で示された挿入管１６の断面ハッチングを省略して図示しており、以下の各図においても同様とする。
【００５４】
図７Ａ及び図７Ｂに示すように、ノズル１４ａは、図２に示すノズル１４のアーム部３２に代えて、開口部３８での挿入管１６の通過を阻害するロック構造４０ａを有するアーム部４２ａを備える。ロック構造４０ａは、開口部３８を構成するアーム部４２ａの一対の端部から、該アーム部４２ａの外周方向へと屈曲しながら延在する一対のガイド部４４、４４を有する以外は、基本的に上記のロック構造４０と略同様である。図７Ａから諒解されるように、各ガイド部４４の最先端間の間隔は、開口部３８の幅よりも大きく設定されており、挿入管１６を円滑に開口部３８に導くことが可能な間隔に設定されている。
【００５５】
従って、ノズル１４ａでは、開口部３８を拡張しながら（又は挿入管１６を収縮させながら）挿入管１６をアーム部４２ａにより囲繞される領域内へと挿入・配置する際に、挿入管１６を各ガイド部４４の内面に摺接させながら、容易に開口部３８へと導くことができ、挿入管１６のアーム部４２ａにより囲繞される領域内への挿入動作が一層容易となる。
【００５６】
図８は、ノズル１４の第２変形例に係るノズル１４ｂの平面図である。
【００５７】
図８に示すように、ノズル１４ｂは、図２に示すノズル１４のアーム部３２に代えて、開口部３８ａでの挿入管１６の通過を阻害するロック構造４０ｂを有するアーム部４２ｂを備える。ロック構造４０ｂは、開口部３８ａを構成するアーム部４２ｂの対向する一対の端部（端面）に、互いに対向する方向に延びた薄板舌状の一対の弁部材４６、４６を有する。各弁部材４６は、上記の開口部３８に比べて、挿入管１６の外径Ｄ以上の幅Ｗ１に設定された開口部３８ａを閉塞する部材であり、各弁部材４６間の間隔は、互いに当接又は略当接する程度に近接しているが、該間隔は少なくとも挿入管１６の外径Ｄよりも小さく設定されていればよい。アーム部４２ｂは、少なくとも弁部材４６が可撓性（弾性）を有する材質で形成されている。
【００５８】
従って、ノズル１４ｂでは、開口部３８ａからアーム部４２ｂにより囲繞される領域内へと挿入管１６を挿入・配置する際には、弁部材４６を挿入管１６で押し込むことにより、該弁部材４６を内側に倒しながら挿入管１６を通過させることができる（図８中の２点鎖線参照）。また、アーム部４２ｂにより囲繞される領域内に挿入管１６を配置した後は、弁部材４６が元の位置に直ぐに復帰し、開口部３８ａが弁部材４６によってロックされた状態となるため、挿入管１６の開口部３８ａからの確実な抜け止めが可能となる。
【００５９】
図９Ａは、ノズル１４の第３変形例に係るノズル１４ｃの平面図であり、図９Ｂは、図９Ａに示すノズル１４ｃのアーム部４２ｃにより囲繞される領域内へと挿入管１６を挿入する動作を示す平面図である。
【００６０】
図９Ａ及び図９Ｂに示すように、ノズル１４ｃは、図２に示すノズル１４のアーム部３２に代えて、開口部３８での挿入管１６の通過を阻害するロック構造４０ｃを有するアーム部４２ｃを備える。ロック構造４０ｃは、開口部３８を構成するアーム部４２ｃの対向する一対の端部（端面）のうち、一方の端面から突出するピン（凸部）４８と、他方の端面に設けられた穴（凹部）５０とを有する。これらピン４８及び穴５０は、アーム部４２ｃの略周方向に沿って形成され、これにより互いに係合可能な係合部として機能する。そして、図９Ａに示すように、通常時、開口部３８は、アーム部４２ｃの対向する両端面が当接又は近接した狭い隙間に設定されると共に、ピン４８が穴５０に嵌挿されてロック状態となっている。
【００６１】
従って、ノズル１４ｃでは、開口部３８からアーム部４２ｃにより囲繞される領域内へと挿入管１６を挿入・配置する際には、開口部３８近傍のアーム部４２ｃを拡張変形させてピン４８を穴５０から抜くことにより、開口部３８に挿入管１６を通過させることができる（図９Ｂ参照）。一方、アーム部４２ｃの内側に挿入管１６を配置した後は、アーム部４２ｃが元の位置に復帰し、ピン４８が穴５０に係合したロック状態となるため、挿入管１６の開口部３８からの確実な抜け止めが可能となる（図９Ａ参照）。
【００６２】
この際、当該塗布具１０の軸方向、つまりシリンジ１２の押し子２６の押し込み方向に対して、ピン４８の穴５０への嵌挿方向が交差（略直交）する方向に設定されている。このため、アーム部４２ｃにより囲繞される領域内に挿入管１６を配置した液剤Ｌの塗布時において、押し子２６の押し込み操作等によって塗布具１０が軸方向に前後し、挿入管１６が開口部３８に押し付けられるような場合であっても、この押し付け方向と、ピン４８及び穴５０の嵌挿方向とが互いに交差しているため、ピン４８が閂状に機能し、開口部３８のロック状態を維持することができる。つまり、ピン４８及び穴５０によって構成される係合部は、アーム部４２ｃの半径方向に解除不能、且つアーム部４２ｃの周方向又は該周方向に略一致した方向（半径方向に交差する方向）に解除可能となっている。
【００６３】
なお、開口部３８において、互いに係合するピン４８及び穴５０は、他の形状で構成してもよい。例えば、図１０に示すように、上記のロック構造４０ｃを備えるノズル１４は、ピン４８及び穴５０に代えて、薄板状の凸部５２、及び該凸部５２が係合可能な溝状の凹部５４からなるロック構造４０ｄを備えるノズル１４ｄとして構成してもよく、この場合にも上記のロック構造４０ｃと略同様な作用効果を得ることができる。
【００６４】
図１１Ａは、ノズル１４の第５変形例に係るノズル１４ｅの平面図であり、図１１Ｂは、図１１Ａに示すノズル１４ｅのアーム部４２ｅにより囲繞される領域内へと挿入管１６を挿入する動作を示す平面図である。
【００６５】
図１１Ａ及び図１１Ｂに示すように、ノズル１４ｅは、図２に示すノズル１４のアーム部３２に代えて、開口部３８での挿入管１６の通過を阻害するロック構造４０ｅを有するアーム部４２ｅを備える。このアーム部４２ｅでは、開口部３８を構成するアーム部４２ｅの一対の端部５５ａ、５５ｂの近傍に、重なり合い且つ互いに対向する部位である対向部５７ａ、５７ｂを有し、対向部５７ａ、５７ｂ間が開口部３８となっている。換言すれば、アーム部３２ｅでは、一対の端部５５ａ、５５ｂ（両対向部５７ａ、５７ｂ）が当該アーム部３２ｅの半径方向で重なる位置、つまり一方の端部５５ａが他方の端部５５ｂに内包された位置に設定され、両者の間が開口部３８となっている。
【００６６】
ロック構造４０ｅは、開口部３８を画成するアーム部４２ｅの両端部５５ａ、５５ｂ（両対向部５７ａ、５７ｂ）のうち、内側に配置される端部５５ａ近傍の対向部５７ａの外面に設けられた突起５６と、外側に配置される端部５５ｂ近傍の対向部５７ｂの内面に設けられた凹部５８とを有する。突起５６及び凹部５８は互いに係合可能な係合部として機能する。これにより、図１１Ａに示すように、通常時、開口部３８は、アーム部４２ｅの両対向部５７ａ、５７ｂが互いに接触又は近接して重なり、突起５６が凹部５８に係合した状態でロックされている。突起５６は、端部５５ａの開成方向、つまり該端部５５ａの周方向で先端側から基端側に向かう方向に垂直辺を有する略直角三角形状からなる。
【００６７】
従って、ノズル１４ｅでは、開口部３８からアーム部４２ｅにより囲繞される領域内へと挿入管１６を挿入・配置する際には、図１１Ｂに示すように、互いに重なるアーム部４２ｅの両対向部５７ａ、５７ｂ間に挿入管１６を押し込み、開口部３８を押し広げることにより、突起５６が凹部５８から抜け、開口部３８に挿入管１６を通過させることができる。一方、アーム部４２ｅの内側に挿入管１６を配置した後は、アーム部４２ｅが元の位置に復帰し、突起５６が凹部５８に係合したロック状態となるため、挿入管１６の開口部３８からの確実な抜け止めが可能となる（図１１Ａ参照）。
【００６８】
この際、ロック構造４０ｅでは、開口部３８を構成するアーム部４２ｅの両対向部５７ａ、５７ｂが積層配置されると共に、突起５６の凹部５８への係合方向が該積層方向に略一致している。このため、アーム部４２ｅにより囲繞される領域内に挿入管１６を配置した液剤Ｌの塗布時において、押し子２６の押し込み操作等によって塗布具１０が軸方向に前後し、挿入管１６が開口部３８に対して該軸方向（図１１Ａ中の矢印Ａ方向）に押し付けられるような場合には、この矢印Ａ方向への押し付け力は、アーム部４２ｅのうち、内側の端部５５ａを内側から外側に押し広げる前記開成方向に作用する。そうすると、突起５６は、端部５５ａが旋回しつつ開く前記開成方向、つまり図１１中の矢印Ｂ方向の押し付け力によって凹部５８を押圧することになり、その結果、突起５６と凹部５８とはより強固に係合するため、開口部３８のロック状態を確実に維持することができる。このように、突起５６及び凹部５８で構成される係合部は、アーム部４２ｅの周方向又は該周方向に略一致した方向（半径方向に交差する方向）に解除可能、且つアーム部４２ｅの半径方向に解除可能となっている。
【００６９】
図１２Ａは、ノズル１４の第６変形例に係るノズル１４ｆの平面図であり、図１２Ｂは、図１２Ａに示すノズル１４ｆのアーム部４２ｆにより囲繞される領域内へと挿入管１６を挿入する動作を示す平面図である。
【００７０】
図１２Ａ及び図１２Ｂに示すように、ノズル１４ｆは、図２に示すノズル１４のアーム部３２に代えて、開口部３８での挿入管１６の通過を阻害するロック構造４０ｆを有するアーム部４２ｆを備える。ロック構造４０ｆは、開口部３８を構成するアーム部４２ｆの対向する一対の端部のうちの一方の端部を、湾曲舌形状の弁部材６０として形成しており、通常時、該弁部材６０の先端が丸まって他方の端面に当接又は近接することにより、開口部３８をロック状態に設定する。アーム部４２ｆは、少なくとも弁部材６０が可撓性（弾性）を有する材質で形成されている。
【００７１】
従って、ノズル１４ｆでは、開口部３８からアーム部４２ｆにより囲繞される領域内へと挿入管１６を挿入・配置する際には、弁部材６０を挿入管１６で押し込み内側に倒すことにより、開口部３８に挿入管１６を通過させることができる（図１２Ｂ参照）。また、アーム部４２ｆにより囲繞される領域内に挿入管１６を配置した後は、弁部材６０が元の位置に直ぐに復帰し、開口部３８が弁部材６０によってロックされた状態となるため、挿入管１６の開口部３８からの確実な抜け止めが可能となる。
【００７２】
図１３は、ノズル１４の第７変形例に係るノズル１４ｇの平面図である。
【００７３】
図１３に示すように、ノズル１４ｇは、図２に示すノズル１４のアーム部３２に代えて、開口部３８ａでの挿入管１６の通過を阻害するロック構造４０ｇを有するアーム部４２ｇを備える。このアーム部４２ｇでは、開口部３８ａを構成するアーム部４２ｇの一対の端部が間隔Ｇ１を挟んで互いに対向配置されている。この間隔Ｇ１は、挿入管１６の外径Ｄ以上の間隔に設定されることで開口部３８ａとして機能している。つまり、ロック構造４０ｇでは、アーム部４２ｇの両端部を間隔Ｇ１だけオフセットして対向配置することにより、挿入管１６の外径Ｄ以上の幅に設定され、該挿入管１６の通路（ずれ通路）となる開口部３８ａを設けている。
【００７４】
従って、ノズル１４ｇでは、開口部３８ａからアーム部４２ｇにより囲繞される領域内へと挿入管１６を挿入・配置する際には、ノズル１４ｇを水平方向に多少揺動させるだけで開口部３８ａに挿入管１６を通過させることができる。一方、アーム部４２ｇの内側に挿入管１６を配置した状態では、当該塗布具１０の軸方向、つまりシリンジ１２の押し子２６の押し込み方向に対して、開口部３８ａの開口方向が交差（図１３では直交）しているため、押し子２６の押し込み操作等によって塗布具１０が軸方向に前後した場合であっても、挿入管１６が開口部３８ａから容易に抜け出すことはなく、該開口部３８ａを確実にロックしておくことができる。
【００７５】
なお、このようなノズル１４ｇを構成するロック構造４０ｇでの開口部３８ａからの挿入管１６の抜け止め機能をより向上させるため、例えば、図１４に示すように、開口部３８ａを構成するアーム部４２ｈの一対の端部を略渦巻状に巻回配置したロック構造４０ｈを有するノズル１４ｈとして構成してもよい。
【００７６】
図１４に示すように、このロック構造４０ｈでは、アーム部４２ｈを構成する一対の端部の近傍に、重なり合い且つ互いに対向する部位である対向部５９ａ、５９ｂを有し、対向部５９ａ、５９ｂ間が開口部３８ａとなっている。従って、ロック構造４０ｈでは、上記のロック構造４０ｇに比べて、開口部３８ａによる通路（渦巻き通路）がより複雑且つ長尺に構成されており、このため、挿入管１６の開口部３８ａからの一層確実な抜け止めが可能となる。
【００７７】
このように、ロック構造４０ｇ、４０ｈにおいて、挿入管１６の通路となる開口部３８ａは、押し子２６の押し込み方向、換言すれば貯液部２２ｂからノズル１４ｇ、１４ｈへの液剤Ｌの流入方向に対して交差する方向に形成されており、これにより挿入管１６を開口部３８ａを通過させる際には、当該塗布具１０を該開口部３８ａに沿って動かす必要が生じるため、挿入管１６の抜け止めを図ることができる。
【００７８】
図１５は、ノズル１４の第９変形例に係るノズル１４ｉの斜視図である。また、図１６Ａは、図１５に示すノズル１４ｉの平面図であり、図１６Ｂは、図１６Ａに示すノズル１４ｉの正面図である。
【００７９】
図１５、図１６Ａ及び図１６Ｂに示すように、ノズル１４ｉは、図２に示すノズル１４のアーム部３２に代えて、開口部３８ａでの挿入管１６の通過を阻害するロック構造４０ｉを有するアーム部４２ｉを備える。このアーム部４２ｉでは、開口部３８ａを構成するアーム部４２ｉの一対の端部６１ａ、６１ｂが、上下方向（アーム部４２ｉの円の中心線に沿う方向）に捩れながら互いに交差している。つまり、アーム部４２ｉを構成する一方の端部６１ａと他方の端部６１ｂとは、図１６Ａに示す平面視で重なる方向に交差している。ロック構造４０ｉでは、アーム部４２ｉの両端部６１ａ、６１ｂを捩りつつ、間隔Ｇ１だけオフセットして配置すると共に、挿入管１６の外径Ｄ以上の幅に設定することで、該挿入管１６の通路（段差通路）となる開口部３８ａを設けている。つまり、このロック構造４０ｉにおいて、開口部３８ａの開口方向は、当該塗布具１０の軸方向に直交する方向に傾斜している。
【００８０】
従って、ノズル１４ｉでは、開口部３８ａからアーム部４２ｉにより囲繞される領域内へと挿入管１６を挿入・配置する際には、塗布具１０（ノズル１４ｉ）をアーム部４２ｉにより囲繞される領域内に挿入管１６を挿通させた塗布時の姿勢（基本姿勢。図５Ａ参照）から、その軸方向を中心として略９０°ロール回転（図１５及び図１６Ｂ中の矢印θ参照）させた姿勢（通過姿勢）とする。そして、この通過姿勢で開口部３８ａに挿入管１６を通過させた後、塗布具１０（ノズル１４ｉ）を逆方向に略９０°ロール回転させて基本姿勢に戻すことにより、アーム部４２ｉにより囲繞される領域内に挿入管１６を配置することができる（図１６Ａ参照）。一方、アーム部４２ｉの内側に挿入管１６を配置した液剤Ｌの塗布時には、ノズル１４ｉは前記基本姿勢に設定されるため、シリンジ１２の押し子２６の押し込み操作等によって塗布具１０が軸方向に前後した場合であっても、当該塗布具１０が前記通過姿勢に設定されない限り、挿入管１６が開口部３８ａを通過することはなく、該開口部３８ａを確実にロックしておくことができる。
【００８１】
このように、ロック構造４０ｉにおいて、挿入管１６の通路となる開口部３８ａは、押し子２６の押し込み方向、換言すれば貯液部２２ｂからノズル１４ｉへの液剤Ｌの流入方向に対して交差する方向に形成されており、これにより挿入管１６の抜け止めが図られている。
【００８２】
次に、上記のように構成される塗布具１０の他の構成例について説明する。
【００８３】
図１７は、図１に示す液剤塗布具１０の別の構成例に係る液剤塗布具１０ａの斜視図である。
【００８４】
上記のノズル１４（１４ａ〜１４ｉ）を備える液剤塗布具１０では、ノズル１４等をシリンジ１２に対して着脱可能に構成していたが、図１７に示すように、シリンジ１２ａの先端に、例えばノズル１４と略構造からなるノズル１４ｊを一体的に設けた液剤塗布具１０ａとして構成することもできる。これにより、塗布具１０ａでは、ノズル１４ｊをシリンジ１２ａに装着する工程が不要となり、取り扱いが一層容易となる。さらに、ノズル１４ｊをシリンジ１２ａに一体化したことにより、当該塗布具１０ａの製造コストを低減することができる。なお、図１７では、ノズル１４ｊとしてノズル１４と略同様な構成を例示しているが、当該塗布具１０ａには、他のノズル１４ａ〜１４ｉと略同様な構成からなるものを用いても勿論よく、次の塗布具１０ｂについても同様である。
【００８５】
図１８Ａは、図１に示す液剤塗布具１０のさらに別の構成例に係る液剤塗布具１０ｂの平面図であり、図１８Ｂは、図１８Ａに示す液剤塗布具１０ｂの側面図である。
【００８６】
図１８Ａ及び図１８Ｂに示すように、液剤塗布具１０ｂは、図１７に示す塗布具１０ａのシリンジ１２ａに代えて、貯液部６２ａを有する小型扁平な本体部６２を有し、該本体部６２の先端に貯液部６２ａから連通するノズル流路３４を設けたノズル１４ｋが一体的に備えられている。本体部６２の略中央部には、その上下面に扁平半球状に膨出形成された膨出部６２ｂが設けられ、この膨出部６２ｂの内側が貯液部６２ａとなっている。本体部６２は、少なくとも貯液部６２ａを構成する膨出部６２ｂが可撓性を有する樹脂製材料等によって形成される。
【００８７】
従って、当該塗布具１０ｂでは、使用者が本体部６２を片手で把持した状態で、例えば親指と人差指とで図１８Ｂ中の矢印Ｐに示すように、膨出部６２ｂ（貯液部６２ａ）を押し潰す方向に押圧することにより、ノズル１４ｋの吐出孔３６から液剤Ｌを吐出することができる。このように、塗布具１０ｂではシリンジが不要となることから、全体として一層コンパクト且つ低コストな構造とすることができ、取り扱い性をより一層向上させることができる。
【００８８】
本発明は、上記の実施形態に限らず、本発明の要旨を逸脱することなく、種々の構成乃至工程を採り得ることは勿論である。
【００８９】
例えば、液剤塗布具１０によって吐出・塗布する液剤Ｌとしては、上記したシアノアクリレートを含有するシーラントや、クロルヘキシジン等の抗菌剤を含有し且つ十分な粘度を有した液剤以外であっても勿論よく、要は挿入部２０周辺に塗布されることで固化し又は適度な粘度によって隙間Ｇを被覆し塞ぐことができるものであればよく、例えば、ポリエチレングリコールを主としたゲルや多糖ゲル等を用いてもよい。なお、当該塗布具によって塗布される液剤とは、塗布される状態で液体のものをいい、塗布された後、シーラントのように固化するものも当然に含むものとする。
【符号の説明】
【００９０】
１０、１０ａ、１０ｂ…液剤塗布具        １２、１２ａ…シリンジ
１４、１４ａ〜１４ｋ…ノズル            １６…挿入管
１８…生体組織                          ２０…挿入部
３２、４２、４２ａ〜４２ｉ…アーム部    ３６…吐出孔
３８、３８ａ…開口部                    ４０、４０ａ〜４０ｉ…ロック構造
【図１】
2012065982.tif 000003
【図２】
2012065982.tif 000004
【図３】
2012065982.tif 000005
【図４】
2012065982.tif 000006
【図５】
2012065982.tif 000007
【図６】
2012065982.tif 000008
【図７】
2012065982.tif 000009
【図８】
2012065982.tif 000010
【図９】
2012065982.tif 000011
【図１０】
2012065982.tif 000012
【図１１】
2012065982.tif 000013
【図１２】
2012065982.tif 000014
【図１３】
2012065982.tif 000015
【図１４】
2012065982.tif 000016
【図１５】
2012065982.tif 000017
【図１６】
2012065982.tif 000018
【図１７】
2012065982.tif 000019
【図１８】
2012065982.tif 000020